(57)【要約】プリプレスワークフローシステムにおいてジョブチケット（１０）を定める方法である。入力チャンネル（１１−１３）及びジョブチケット（１０）が定められる。ジョブチケットの定義は、入力チャンネルの定義を含む。
2005519388.tif 000002
【特許請求の範囲】
【請求項１】
プリプレスワークフローシステムにおけるジョブのためのジョブチケット（１０）を定める方法であって、
−入力チャンネル（１１−１３）を定め、
−ジョブチケット（１０）を定める
諸段階を含み、
前記ジョブチケットの定義が前記入力チャンネルの定義を含む
ことを特徴とする方法。
【請求項２】
−第２の入力チャンネル（１１−１３）を定める
段階を更に含み、
前記ジョブチケットの定義が前記第２の入力チャンネルの定義を含む
請求項１による方法。
【請求項３】
−前記第１の入力チャンネル（１１−１３）のための第１の設定を定め、
−前記第２の入力チャンネル（１１−１３）のための第２の設定を定める
諸段階を更に含み、
前記第２の設定が前記第１の設定とは異なる先行請求項のいずれか一つによる方法。
【請求項４】
−前記第１の入力チャンネル（１１−１２）のための第１の処理段階（２１、３１）を  定め、
−前記第２の入力チャンネル（１３）のための第２の処理段階（２２、３２）を定める
諸段階を更に含み、
前記第２の処理段階（２２、２３）が前記第１の処理段階（２１、３１）とは異なる先行請求項のいずれか一つによる方法。
【請求項５】
−前記ジョブの状態を調査し、
−前記状態が特定の所定の状態であるならば、前記入力チャンネル（１１−１３）を停止  する
諸段階を更に含む先行請求項のいずれか一つによる方法。
【請求項６】
−前記ジョブチケット（１０）と共に前記入力チャンネル（１１−１３）を記憶する
段階を更に含む先行請求項のいずれか一つによる方法。
【請求項７】
請求項１から６のいずれか一つによる方法の諸段階を実行するための手段を備えるデータ処理用のシステム。
【請求項８】
前記入力チャンネル（１１−１３）を経て前記ジョブにデータを入力するための入力装置を更に備える請求項７によるシステム。
【請求項９】
プログラムがコンピューター上で走っているとき、請求項１から６のいずれか一つによる方法の諸段階を実行するようにされたコンピュータープログラムコード手段を備えるコンピュータープログラム。
【請求項１０】
プログラムがコンピューター上で走っているとき、請求項１から６のいずれか一つによる方法の諸段階を実行するようにされたプログラムコードを備えるコンピューター可読媒体。
【発明の詳細な説明】
【技術分野】
【０００１】
本発明は、プリプレスワークフローシステムに分野に関し、特にかかるシステムにおいて使用されるジョブチケット及び入力チャンネルに関する。
【背景技術】
【０００２】
プリプレスワークフローシステムにおいては、特許文献１において明らかにされたように、例えばコマーシャル印刷用又はパッケージング産業用のジョブが処理される。コマーシャル印刷においては、ジョブは、特定化された命令に従ったある特定セットの文書ページの処理を含む。最も新しいプリプレスワークフローシステムはジョブチケットドリブン（ｊｏｂ  ｔｉｃｋｅｔ  ｄｒｉｖｅｎ）である。データ処理活動はジョブチケットにより管理される。「ジョブチケット」は、ジョブをいかに組み立てて処理するか定める。これは、（コマーシャル印刷については）組み立てるべきページを定め、使用すべき処理特性（組付け、セパレーション、トラッピングオーバープリンティング、レンダリングとも呼ばれるラステリゼーション、など）、描かれたジョブが送られるであろう出力エンジンを定める。使用者は、ジョブチケットエディターにより、ジョブチケットを作ること及び変更することができる。
【０００３】
従来技術のシステムにおいては、入力機構はジョブチケットと組み合わせることが必要である。この入力機構は、いわゆる「入力チャンネル」を含むことがある。例えば、アグファのＡｐｏｇｅｅＴＭシリーズ３ワークフローソフトウエアでは、使用者がジョブチケットを入力チャンネルに関連させねばならない。典型的な入力チャンネルは、ＴＣＰ／ＩＰストリーミング（ＴＣＰ／ＩＰは  Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌの略）、ＡｐｐｌｅｔａｌｋＴＭ、ＦＴＰ（Ｆｉｌｅ  Ｔｒａｎｓｆｅｒ  Ｐｒｏｔｏｃｏｌ）、ホットフォルダー（ホットフォルダーは、ホットフォルダー内に落とされたファイルがコピーされるでろうフォルダーの位置を含む）などとすることができる。文書（内容）が、かかる入力チャンネルに落とされたとき、その文書は特定のジョブチケットにより処理されるであろう。
【特許文献１】ＷＯ  ０１／２５９０７号  明細書
【発明の開示】
【発明が解決しようとする課題】
【０００４】
プリプレスワークフローシステムにおいてジョブチケットを定めるための改良された方法に対する要求がなおある。
【課題を解決するための手段】
【０００５】
本発明は、独立請求項１に請求されたプリプレスワークフローシステムにおいてジョブチケットを定めるための方法である。本発明は、この方法を実行するシステム及びコンピュータープログラムも含む。本発明の好ましい実施例が従属請求項において説明される。
【０００６】
本発明による方法においては、少なくも１個の入力チャンネルが定められ、そしてこの少なくも１個の入力チャンネルの定義はジョブチケット内に含まれる。このことは、入力チャンネルの定義が１個又は複数個のジョブチケットを含む従来技術とは対照的である。
【発明の効果】
【０００７】
本発明の利点は、１個のジョブ内で多数の入力チャンネルを定め得ることである。
【０００８】
別の利点は、ジョブが完了したときに入力チャンネルを容易に停止させ得ることである。
【０００９】
これらの利点は、以下、より詳細に説明されるであろう。本発明の実施例の更なる利点は、以下の説明及び図面から明らかとなるであろう。
【発明を実施するための最良の形態】
【００１０】
本発明は、本発明を限定するものではない図１を参照して説明される。
【００１１】
図１は、本発明によるジョブチケット１０の実施例を線図的に示す。このジョブチケット１０は、３個の入力チャンネル１１−１３を備える。事実、図１は、ジョブチケット１０の一部分、即ちいわゆる「生産計画」、及びその第１の部分のみを示す。生産計画は、ジョブがいかに処理されるかを特定する。図１において、データは、図示された段階に従って矢印の方向、即ち左から右に処理される。ジョブチケット１０は、ジョブをいかに組み立て処理するかを定める。ジョブチケットは、生産計画及び追加のデータを含む。
【００１２】
図１に示された実施例は、３個の異なった入力チャンネル１１、１２及び１３を含む。入力チャンネル１１はホットフォルダーＩＮ１、入力チャンネル１２はＡｐｐｌｅｔａｌｋＴＭチャンネルＩＮ２、そして入力チャンネル１３は別のホットフォルダーＩＮ３である。入力チャンネル１１の定義は、ファイルがホットフォルダー内に落とされコピーされたディスク上のフォルダーの位置を含む（例えばＣＤ−ＲＯＭが、関連ジョブのためのファイルを有して供給された場合は、ＣＤ−ＲＯＭ上の全てのファイルがこのフォルダーにコピーされ、恐らくはチェックされた後、これらは特定の条件を満たす）。入力チャンネル１１の定義は、期待されるファイル形式、この例では、ＰＳ（ＰｏｓｔＳｃｒｉｐｔＴＭ）又はＰＤＦ（Ｐｏｒｔａｂｌｅ  Ｄｏｃｕｍｅｎｔ  ＦｏｒｍａｔＴＭ）のいずれかを更に含む。入力チャンネル１２はＡｐｐｌｅｔａｌｋＴＭチャンネル（即ち、ストリーミング入力用）として定められる。これは、データを直接給送するＭａｃＩｎｔｏｓｈＴＭコンピューターのネットワークからファイルを受け入れる。入力チャンネル１２は、これらのコンピューターのために印刷機に類似した挙動をする。入力チャンネル１３は、ＴＩＦＦファイル（ＴＩＦＦは  Ｔａｇ  Ｉｍａｇｅ  Ｆｉｌｅ  Ｆｏｒｍａｔの略）を受け入れるホットフォルダーとして定められる。
【００１３】
この例は、ジョブの異なった入力チャンネルに対して異なった設定を定め得ることを示す。この例においては、ファイル形式は、入力チャンネル１１についてはＰＳ又はＰＤＦ、入力チャンネル１３については関係のＴＩＦＦであるべきである。この機構は、ファイル形式のチェックのようなチェックを容易かつ明確に許す。
【００１４】
ジョブ内の異なる入力に対して異なる処理段階を定めることもできる。再び図１を参照して、入力チャンネル１３は社内の他の部門からの入力を伝えるとし、更にこの入力は入力チャンネル１１及び１２からの入力よりも、より厳密にチェックすべきであるとする。２個の入力チャンネル１１、１２に対しては、通常の正規化段階２１、ＮＲＭ、及び通常の使用前点検段階３１、ＰＲＥＦ、が適用され、一方、入力チャンネル１３に対しては別の厳密な正規化段階２２、ＮＲＭＳ  及び別の厳密な事前点検段階３２、ＰＲＥＦＳ  が使用される（正規化装置は、到来ファイルから信頼し得るＰＤＦファイルを作り、一方、事前点検ツールは、フォントの埋め込み又は画質のようなファイルの重要な要素を確認する）。
【００１５】
本発明の利点は、ジョブが完了したとき、又は他の何かによりジョブの状態が変化したとき、入力チャンネルを容易に停止できることである。例えば、ある特定のジョブがその文書を全て受け入れたとする。ジョブがこの状態に達すると、ジョブがその入力チャンネルを自動的に停止することができる。これは、更に誤った文書が入力されることに対する防護である。入力チャンネルが停止されると、これはもはや入力は送られないであろう。ホットフォルダー入力チャンネルの停止は、ホットフォルダーと組み合わせられたフォルダーに文書を更に記憶させることにより実行することができる。しかしこれを処理することはない。ストリーミング入力用の入力チャンネルの停止は、ストリーミングチャンネルを除くことにより実行することができる。入力チャンネルの定義は、これらが停止されたときに保存されることが好ましい。この方法で、停止された入力チャンネルを容易に再作動させることができる。
【００１６】
本発明の別の利点は、ジョブが消去された場合にジョブの入力チャンネルの全てが消去されることである。従って、入力チャンネルに対する別の清掃作業は不要である。
【００１７】
入力チャンネルは一つのジョブにだけ関係することが好ましい。実行のためにジョブが提示されたとき、これが、有り得る矛盾、例えばホットフォルダーが別のジョブで使用されていないことを調査することができる。
【００１８】
本発明の更に別の利点は、入力チャンネルをジョブチケットにジョブと共に記憶できることであり、これにより良好なシステムの一貫性が許される。好ましい実施例においては、ジョブチケットエディターの手段により、特定ジョブに対する入力機構が設定され、そして入力チャンネルの定義がジョブチケット内に記憶される。ジョブチケットは、ＣＩＰ４からアドベのＰＪＴＦ（Ｐｏｒｔａｂｌｅ  Ｊｏｂ  Ｔｉｃｋｅｔ  Ｆｏｒｍａｔ）又はＪｏｂ  Ｄｅｆｉｎｉｔｉｏｎ  Ｆｏｒｍａｔ、ＪＤＥ、のような拡張可能な標準フォーマットで記憶させることができる。
【００１９】
本発明の好ましい実施例が詳細に説明されたが、本技術熟練者には、特許請求の範囲に定められた本発明の範囲から離れることなく、これに多くの変更をなし得ることが明らかであろう。
【図面の簡単な説明】
【００２０】
【図１】本発明によるシステムの実施例を線図的に示す。
【符号の説明】
【００２１】
１０：ジョブチケット
１１：入力チャンネル
１２：入力チャンネル
１３：入力チャンネル
２１：正規化装置
２２：正規化装置
３１：事前点検ツール
３２：事前点検ツール
【図１】
2005519388.tif 000003
【手続補正書】
【提出日】平成16年2月18日(2004.2.18)
【手続補正１】
【補正対象書類名】特許請求の範囲
【補正対象項目名】全文
【補正方法】変更
【補正の内容】
【特許請求の範囲】
【請求項１】
プリプレスワークフローシステムにおけるジョブのためのジョブチケット（１０）を定める方法であって、
−前記プリプレスワークフローシステムにより少なくも一つの文書を受け入れるため及び  前記少なくも一つの文書の調査を行うために入力チャンネル（１１−１３）を定め、
−前記少なくも一つの文書から前記ジョブを組み立てるため及び前記プリプレスワークフ  ローシステムにより前記ジョブを処理するためにジョブチケット（１０）を定める
諸段階を含み、
前記ジョブチケットの定義が前記入力チャンネルの定義を含む
ことを特徴とする方法。
【請求項２】
−第２の入力チャンネル（１１−１３）を定める
段階を更に含み、
前記ジョブチケットの定義が前記第２の入力チャンネルの定義を含む
請求項１による方法。
【請求項３】
−前記第１の入力チャンネル（１１−１３）のための第１の設定を定め、
−前記第２の入力チャンネル（１１−１３）のための第２の設定を定める
諸段階を更に含み、
前記第２の設定が前記第１の設定とは異なる先行請求項のいずれか一つによる方法。
【請求項４】
−前記第１の入力チャンネル（１１−１２）のための第１の処理段階（２１、３１）を  定め、
−前記第２の入力チャンネル（１３）のための第２の処理段階（２２、３２）を定める
諸段階を更に含み、
前記第２の処理段階（２２、２３）が前記第１の処理段階（２１、３１）とは異なる先行請求項のいずれか一つによる方法。
【請求項５】
−前記ジョブの状態を調査し、
−前記状態が特定の所定の状態であるならば、前記入力チャンネル（１１−１３）を停止  する
諸段階を更に含む先行請求項のいずれか一つによる方法。
【請求項６】
−前記ジョブチケット（１０）内で前記入力チャンネル（１１−１３）の前記定義を記憶する
段階を更に含む先行請求項のいずれか一つによる方法。
【請求項７】
請求項１から６のいずれか一つによる方法の諸段階を実行するための手段を備えるデータ処理用のシステム。
【請求項８】
前記入力チャンネル（１１−１３）を経て前記ジョブにデータを入力するための入力装置を更に備える請求項７によるシステム。
【請求項９】
プログラムがコンピューター上で走っているとき、請求項１から６のいずれか一つによる方法の諸段階を実行するようにされたコンピュータープログラムコード手段を備えるコンピュータープログラム。
【請求項１０】
プログラムがコンピューター上で走っているとき、請求項１から６のいずれか一つによる方法の諸段階を実行するようにされたプログラムコードを備えるコンピューター可読媒体。
【手続補正２】
【補正対象書類名】明細書
【補正対象項目名】００１８
【補正方法】変更
【補正の内容】
【００１８】
本発明の更に別の利点は、入力チャンネルの定義及びジョブチケットを記憶し得る方法に関する。好ましい実施例においては、ジョブチケットエディターの手段により、特定ジョブに対する入力機構が設定され、そして入力チャンネルの定義がジョブチケット内に記憶される。これは良好なシステムの一貫性を許す利点を持つ。ジョブチケットは、ＣＩＰ４からアドベのＰＪＴＦ（Ｐｏｒｔａｂｌｅ  Ｊｏｂ  Ｔｉｃｋｅｔ  Ｆｏｒｍａｔ）又はＪｏｂ  Ｄｅｆｉｎｉｔｉｏｎ  Ｆｏｒｍａｔ、ＪＤＥ、のような拡張可能な標準フォーマットで記憶させることができる。


【国際調査報告】
2005519388.tif 000004
2005519388.tif 000005